(57)【要約】【課題】カメラ本体（カメラヘッド）に搭載されたＶＴＲのオン／オフを、カメラ本体での撮影画像に基づいてレンズ装置の付属装置等によって判断し、カメラ本体に指示することによって、動画像（映像）等の画像の記録の実行又は停止を適切な判断で自動で行えるようにし、それによって、カメラマンの負担の軽減や不要な画像の記録を低減することができるレンズシステムを提供する。【解決手段】レンズ装置１４の付属装置であるＡＦ枠＆ＶＴＲ操作部１６は、カメラヘッド１０で撮影されている映像と同等の映像としてレンズ装置１４に搭載されたＡＦ用撮像素子２４で撮影された映像を取得し、その撮影映像に基づいてカメラヘッド１０に搭載されたＶＴＲ１８のオン／オフを指示するための処理を実行する。【選択図】      図１
2007019621.tif 000002
【特許請求の範囲】
【請求項１】
カメラ本体に着脱可能に装着され、該カメラ本体に搭載された撮像手段の撮像面に被写体の像を結像する撮影光学系を備えると共に、該撮影光学系の制御を行う制御装置を備えたレンズシステムにおいて、
前記カメラ本体の撮像手段により撮影された画像と同等の画像を取得する画像取得手段と、
前記カメラ本体の撮像手段により撮影された画像を記録すると共に、前記カメラ本体に搭載又は接続された記録装置における記録の実行又は停止を、前記画像取得手段により取得された画像に基づいて判断する判断手段と、
前記判断手段の判断結果に基づいて、前記記録装置に対して記録の実行又は停止を指示する指示手段と、
を備えたことを特徴とするレンズシステム。
【請求項２】
前記画像取得手段は、前記レンズシステムに備えられた撮像手段から取得することを特徴とする請求項１のレンズシステム。
【請求項３】
前記レンズシステムに備えられた撮像手段は、前記撮影光学系のオートフォーカスの制御に用いられる撮像手段であることを特徴とする請求項２のレンズシステム。
【請求項４】
前記画像取得手段は、前記カメラ本体の撮像手段により撮影された画像を取得することを特徴とする請求項１のレンズシステム。
【請求項５】
前記指示手段は、前記記録装置に対して記録の実行を指示する際に前記カメラ本体の電源をオンすることを指示すると共に、前記記録装置に対して記録の停止を指示する際に前記カメラ本体の電源をオフすることを指示することを特徴とする請求項１、２、又は、３のレンズシステム。
【請求項６】
前記指示手段は、前記記録装置に対して記録の実行を指示する際に前記録画装置の電源をオンすることを指示すると共に、前記記録装置に対して記録の停止を指示する際に前記記録装置の電源をオフすることを指示することを特徴とする請求項１〜５のうちいずれか１に記載のレンズシステム。
【請求項７】
前記判断手段は、前記画像取得手段により取得された所定の基準画像に対して、前記画像取得手段により新たに取得された画像が変化した場合に、前記記録装置における記録を実行すると判断し、前記画像取得手段により新たに取得された画像が変化していない場合に前記記録装置における記録を停止すると判断することを特徴とする請求項１〜６のうちいずれか１に記載のレンズシステム。
【請求項８】
前記判断手段は、前記記録装置における記録を実行すると判断した後、前記画像取得手段により新たに取得された画像が変化していない状態が一定時間経過すると前記記録装置における記録を停止すると判断することを特徴とする請求項７のレンズシステム。
【請求項９】
前記画像取得手段、前記判断手段、及び、前記指示手段は、前記制御装置に接続される付属装置であって、前記撮影光学系のオートフォーカスの制御におけるオートフォーカスの対象とするＡＦエリアの範囲に関する操作を行うための付属装置を備えたことを特徴とする請求項１〜８のうちいずれか１に記載のレンズシステム。
【発明の詳細な説明】
【技術分野】
【０００１】
本発明はレンズシステムに係り、特に動画像等の画像の記録の実行／停止を指示する機能を備えたレンズシステムに関する。
【背景技術】
【０００２】
放送用・業務用の撮影システムは、例えば、撮像素子等を搭載したカメラヘッド（カメラ本体）に録画のためのＶＴＲ（video tape recorder）が内蔵され、そのカメラヘッドに撮影レンズ及びその制御回路からなるレンズ装置が取り付けられた構成となっている。ＶＴＲによる録画の開始（実行）と停止は、レンズ装置やレンズ装置のアクセサリ（付属装置）等に設けられたＶＴＲスイッチをカメラマンが操作することにより行うことができるようになっている（特許文献１等参照）。
【特許文献１】特開平５−１１０９１３号公報
【発明の開示】
【発明が解決しようとする課題】
【０００３】
ところで、野生動物を撮影する場合、目的の動物が現れそうな場所にカメラを設置しておき、その動物が現れるまでＶＴＲを作動させずに待機し、実際にその動物が現れたときにＶＴＲを作動させて録画を開始するという場合がある。このような場合、カメラマンは、いつ録画を開始させることになるかわからない状態で録画開始の操作を待機していなければならず、待機している時間が長くなればなるほどカメラマンの負担が大きくなり、また、場合によって録画開始のタイミングを逃してしまうという問題があった。また、このような状況で常にＶＴＲを作動させておくと、不要な映像の録画時間が長くなりバッテリー容量や記録テープの記録可能時間の制限によってそれらが不足し、必要な映像が録画できないという不測の事態を招くおそれがあった。
【０００４】
本発明はこのような事情に鑑みてなされたもので、動画像（映像）等の画像の記録の実行又は停止を適切な判断で自動で行えるようにし、それによって、カメラマンの負担の軽減や不要な画像の記録を低減することができるレンズシステムを提供することを目的とする。
【課題を解決するための手段】
【０００５】
前記目的を達成するために、請求項１に記載のレンズシステムは、カメラ本体に着脱可能に装着され、該カメラ本体に搭載された撮像手段の撮像面に被写体の像を結像する撮影光学系を備えると共に、該撮影光学系の制御を行う制御装置を備えたレンズシステムにおいて、前記カメラ本体の撮像手段により撮影された画像と同等の画像を取得する画像取得手段と、前記カメラ本体の撮像手段により撮影された画像を記録すると共に、前記カメラ本体に搭載又は接続された記録装置における記録の実行又は停止を、前記画像取得手段により取得された画像に基づいて判断する判断手段と、前記判断手段の判断結果に基づいて、前記記録装置に対して記録の実行又は停止を指示する指示手段と、を備えたことを特徴としている。
【０００６】
本発明によれば、カメラ本体で撮影された画像と同等の画像（カメラ本体で撮影された画像そのもの、又は、カメラ本体以外で撮影された画像）により記録装置による画像の記録の実行又は停止が行われる。そのため、画像の内容に基づく適切な判断で画像の記録の実行と停止を行うことができ、カメラマン等が撮影場所で長時間待機して記録の実行や停止の操作を行うことの負担を軽減することができる。また、不要な画像の記録を低減することができる。更に、本発明はレンズシステムに適用されるため、どのようなカメラ本体を使用する場合であって本発明の効果が得られるという利点がある。
【０００７】
請求項２に記載のレンズシステムは、請求項１に記載の発明において、前記画像取得手段は、前記レンズシステムに備えられた撮像手段から取得することを特徴としている。
【０００８】
本発明は、カメラ本体の撮像手段から取得した画像ではなく、レンズシステムに備えられている撮像手段から取得した画像によって画像の記録の実行又は停止を判断するため、その判断をレンズシステムの処理においてカメラ本体とは完全に独立して行うことができ、例えば、レンズシステムに対してカメラ本体が撮影した画像を出力する機能を持たない場合であっても本発明を適用できる。即ち、本発明に係るレンズシステムの適用が可能なカメラ本体の制限が緩和される。
【０００９】
請求項３に記載のレンズシステムは、請求項２に記載の発明において、前記レンズシステムに備えられた撮像手段は、前記撮影光学系のオートフォーカスの制御に用いられる撮像手段であることを特徴としている。例えば、コントラスト方式のＡＦではカメラ本体で撮影される画像と同等の画像を取得することが必要であり、カメラ本体の撮像手段とは別にレンズシステムがその画像を撮像するための撮像手段を備えている場合がある。このような場合にはその画像を用いて記録の実行又は停止を判断することができる。
【００１０】
請求項４に記載のレンズシステムは、請求項１に記載の発明において、前記画像取得手段は、前記カメラ本体の撮像手段により撮影された画像を取得することを特徴としている。本発明のようにカメラ本体の撮像手段により撮影された画像そのものを取得して記録の実行又は停止を判断してもよい。
【００１１】
請求項５に記載のレンズシステムは、請求項１、２、又は、３に記載の発明において、前記指示手段は、前記記録装置に対して記録の実行を指示する際に前記カメラ本体の電源をオンすることを指示すると共に、前記記録装置に対して記録の停止を指示する際に前記カメラ本体の電源をオフすることを指示することを特徴としている。本発明によれば、カメラ本体の電源が必要なときのみオンされるため不要な電力消費を低減することができ、バッテリーを使用する場合に特に有効である。
【００１２】
請求項６に記載のレンズシステムは、前記指示手段は、前記記録装置に対して記録の実行を指示する際に前記録画装置の電源をオンすることを指示すると共に、前記記録装置に対して記録の停止を指示する際に前記記録装置の電源をオフすることを指示することを特徴としている。
【００１３】
本発明によれば、必要なときのみ記録装置の電源がオンされるため不要な電力消費を低減することができ、バッテリーを使用する場合に特に有効である。
【００１４】
請求項７に記載のレンズシステムは、請求項１〜６のうちいずれか１に記載の発明において、前記判断手段は、前記画像取得手段により取得された所定の基準画像に対して、前記画像取得手段により新たに取得された画像が変化した場合に、前記記録装置における記録を実行すると判断し、前記画像取得手段により新たに取得された画像が変化していない場合に前記記録装置における記録を停止すると判断することを特徴としている。
【００１５】
本発明によれば、撮影された画像が所定の基準画像に対して変化したか否かによって記録の実行と停止とを自動で制御するため、同様の画像を続けて記録することが防止され、記録媒体や電力の低減が図れる。
【００１６】
請求項８に記載のレンズシステムは、請求項７に記載の発明において、前記判断手段は、前記記録装置における記録を実行すると判断した後、前記画像取得手段により新たに取得された画像が変化していない状態が一定時間経過すると前記記録装置における記録を停止すると判断することを特徴としている。
【００１７】
本発明は、請求項７のように画像の変化によって記録の実行と停止を制御する場合に、画像が変化しない状態となってもすぐに記録を停止させないようにして不必要に記録の停止が行われないようにしている。
【００１８】
請求項９に記載のレンズシステムは、請求項１〜８のうちいずれか１に記載の発明において、前記画像取得手段、前記判断手段、及び、前記指示手段は、前記制御装置に接続される付属装置であって、前記撮影光学系のオートフォーカスの制御におけるオートフォーカスの対象とするＡＦエリアの範囲に関する操作を行うための付属装置を備えたことを特徴としている。
【００１９】
本発明は、本発明の主要構成要素が配置される部分を限定したものである。
【発明の効果】
【００２０】
本発明に係るレンズシステムによれば、動画像（映像）等の画像の記録の実行又は停止を適切な判断で自動で行えるようになり、それによって、カメラマンの負担の軽減や不要な画像の記録が低減される。
【発明を実施するための最良の形態】
【００２１】
以下、添付図面に従って本発明に係るレンズシステムの好ましい実施の形態について詳説する。
【００２２】
図１は、本発明に係るレンズシステムを含むテレビ放送用の撮影システムの構成を示したブロック図である。同図に示す撮影システムは、カメラヘッド（カメラ本体）１０、ビューファインダ１２、レンズ装置１４、ＡＦ枠＆ＶＴＲ操作部１６等から構成されている。
【００２３】
カメラヘッド１０はレンズ交換式であり、レンズ装置１４に含まれる図示しない撮影レンズ（撮影光学系）がマウントによりカメラヘッド１０に取り付けられるようになっている。カメラヘッド１０には、撮像素子（ＣＣＤ）及び所定の信号処理回路等が搭載されており、撮影レンズにより結像された被写体像がその撮像素子により撮像され、信号処理回路により所定の信号処理が施される。これによって被写体の映像が所定形式の映像信号として生成される。
【００２４】
また、カメラヘッド１０にはＶＴＲ（video tape recorder）１８が搭載されており、カメラヘッド１０で生成された映像信号は後述の録画の開始（ＶＴＲ１８のオン）の指示によってＶＴＲ１８に装填されたテープ媒体に記録される。尚、ＶＴＲ１８は必ずしもカメラヘッド１０に搭載されているものでなくてもよく、カメラヘッド１０とは別体の装置であって、ケーブル等で接続されるものであってもよい。
【００２５】
ビューファインダ１２は、カメラヘッド１０に取り付けられている。このビューファインダ１２には、カメラヘッド１０で生成された映像信号が入力され、現在撮影されているリアルタイムの映像がビューファインダ１２の画面に表示されるようになっている。
【００２６】
レンズ装置１４には、レンズＣＰＵ２０、ＡＦ信号処理部２２、ＡＦ用撮像素子（ＣＣＤ）２４が搭載されると共に被写体光をカメラヘッド１０の撮像素子の撮像面に結像する図示しない撮影レンズを備えている。撮影レンズには、フォーカス調整のためのフォーカスレンズやズーム調整のためのズームレンズ等のように光軸方向に前後移動可能にレンズ鏡胴内に保持された可動のレンズ群や、レンズ鏡胴内に固定されたレンズ群等が配置されている。各可動のレンズ群はレンズＣＰＵ２０からの制御信号に従って図示しないモータによって駆動され、フォーカスレンズやズームレンズ等の位置や速度の制御がレンズＣＰＵ２０によって行われるようになっている。
【００２７】
フォーカスレンズの制御（フォーカス制御）には、マニュアルフォーカス（ＭＦ）とオートフォーカス（ＡＦ）とがあり、ＭＦ時には、例えばレンズ装置１４にケーブル等によって接続される図示しないフォーカスデマンド（コントローラ）が使用される。フォーカスデマンドにはカメラマンがフォーカス操作するためのマニュアル操作部材（フォーカスノブ）が設けられており、その操作に従ってフォーカスデマンドから出力されるフォーカス制御信号がレンズ装置１４のレンズＣＰＵ２０に与えられる。そして、そのフォーカス制御信号によって指令された目標位置となるようにフォーカスレンズが制御される。
【００２８】
一方、ＡＦ時には、ＡＦ信号処理部２２によって検出されるピント情報（焦点評価値）がレンズＣＰＵ２０に与えられ、そのピント情報に基づいてフォーカスレンズが制御される。撮影レンズには、光分割手段（ハーフミラー等）が組み込まれており、その光分割手段によって被写体光が２つの光路に分岐されるようになっている。分岐された一方の被写体光は、カメラヘッド１０の撮像素子へと導かれ、他方の被写体光は、レンズ装置１４に搭載されたＡＦ用撮像素子２４へと導かれる。ＡＦ用撮像素子２４へと導かれた被写体光は、ＡＦ用撮像素子２の撮像面に結像され、カメラヘッド１０の撮像素子で撮像される映像と略一致した映像の映像信号がＡＦ用撮像素子２４から得られるようなっている。ＡＦ用撮像素子２４によって得られた映像信号は、ＡＦ信号処理部２２に与えられる。
【００２９】
ＡＦ信号処理部２２は、ＡＦ用撮像素子２４から与えられた映像信号に基づいて被写体画像のコントラストを検出する処理を行っている。ここで、カメラヘッド１０の撮像素子によって有効に撮像される被写体又は被写体画像の範囲を撮像範囲というものとすると、図２に示すように、その撮像範囲５０の画面上においてＡＦの対象範囲とするＡＦエリア５２が例えば矩形状のＡＦ枠５４内の範囲として設定される。尚、撮像範囲５０内におけるＡＦエリア５２（ＡＦ枠５４）の範囲（位置や大きさ等）は、後述のようにＡＦ枠＆ＶＴＲ操作部１６から与えられるＡＦ枠情報に従って変更される。
【００３０】
ＡＦ信号処理部２２はＡＦ用撮像素子２４から与えられた映像信号に対してＡＦエリアに相当する範囲内の映像信号のみを抽出し、その映像信号の高域周波数成分を１フィールド分（１画面分）ずつ積算する。これによってＡＦエリア内における被写体画像のコントラストの高低を示す値が逐次得られる。尚、その値（積算値）を本明細書では焦点評価値と称する。
【００３１】
レンズＣＰＵ２０は、ＡＦ信号処理部２２からその焦点評価値をピント情報として逐次取得し、焦点評価値が最大（極大）となる位置にフォーカスレンズを移動させる。これによって、ＡＦエリア内の被写体に自動でピントが合わせられる。
【００３２】
ＡＦ枠＆ＶＴＲ操作部１６は、ＡＦ枠（ＡＦエリア）とＶＴＲ１８に関する操作を行うためのレンズ装置１４のアクセサリ（付属装置）として、レンズ装置１４にケーブル等で接続されて本撮影システムに組み込まれている。尚、ＡＦ枠＆ＶＴＲ操作部１６は、フォーカスデマンド等の他の用途の装置に一体的に構成することも可能である。
【００３３】
ＡＦ枠＆ＶＴＲ操作部１６は、各種操作を入力する入力部２６、各種処理を統括的に行う操作部ＣＰＵ２８、画像処理を行う画像処理部３０等から構成されている。まず、ＡＦ枠の操作に関する処理の概要を説明すると、ＡＦ枠の操作では、マニュアル操作モードと自動モード（自動追尾モード）の選択が可能になっている。操作部ＣＰＵ２８はいずれかのモードにより目標とするＡＦ枠の範囲（位置、大きさ、形状）を設定し、そのＡＦ枠の範囲を示すＡＦ枠情報をレンズ装置１４のレンズＣＰＵ２０に送信する。これによって、ＡＦ信号処理部２２で焦点評価値を求める際のＡＦエリアの範囲が設定される。また、そのＡＦ枠情報はレンズＣＰＵ２０からカメラヘッド１０に送信され、レンズ装置１４において現在設定されているＡＦ枠の範囲に対応したＡＦ枠の画像が撮影映像に重畳されて図２（又は図１）のようにビューファインダ１２に表示されるようになっている。これによって操作者は現在のＡＦエリアの範囲を認識することができる。
【００３４】
マニュアル操作モードでは、操作者が入力部２６の操作部材を操作することによって撮像範囲内でのＡＦ枠の範囲（位置や大きさ等）を指示入力する。例えば、入力部２６にはトラックボールが設けられており、そのトラックボールを上下左右方向に回転操作すると、撮像範囲でのＡＦ枠の位置をトラックボールの回転方向に回転量に応じた量だけ現在位置から変位させる指示が入力される。操作部ＣＰＵ２８は、入力部２６からの指示入力に従って、レンズ装置１４にＡＦ枠情報として送信するＡＦ枠の範囲を設定する。
【００３５】
自動モード（自動追尾モード）では、ＡＦ枠の位置がＡＦの対象とする被写体の位置に合わせて自動で変更される。画像処理部３０には、カメラヘッド１０の撮像素子によって撮影されている映像と同等の映像として、レンズ装置１４のＡＦ用撮像素子２４によって撮影された映像の映像信号がＡＦ信号処理部２２から入力される。詳細な処理については説明を省略するが、画像処理部３０では、ＡＦ信号処理部２２から取得した映像の中から、事前に登録している対象被写体の画像をパターンマッチング等の画像処理技術によって検出し、その検出位置を操作部ＣＰＵ２８に出力する。操作部ＣＰＵ２８は、画像処理部３０によって検出された対象被写体の検出位置を、目標とするＡＦ枠の位置に設定し、その位置をＡＦ枠情報としてレンズ装置１４に送信する。これにより、対象被写体の位置にＡＦ枠が自動で移動する。
【００３６】
次にＶＴＲ１８の操作に関する処理について説明する。ＡＦ枠＆ＶＴＲ操作部１６は、入力部２６の所定のスイッチによってＶＴＲ操作モードを選択した場合に、ＶＴＲ１８の操作に関する処理が行われるようになっており、ＶＴＲ操作モードでは、ＶＴＲ１８による録画のスタート（ＶＴＲ１８のオン）とストップ（ＶＴＲ１８のオフ）を指示するための処理が行われる。この処理では、カメラヘッド１０により撮影されている映像（画像）が、所定の基準画像に対して変化した状態となっている場合にはＶＴＲ１８をオンにするＶＴＲスタート信号を出力し、基準画像に対して変化していない状態となっている場合にはＶＴＲ１８をオフにするＶＴＲストップ信号を出力する。これにより、撮影している映像に変化が生じた場合だけＶＴＲ１８による録画が行われるようになっている。
【００３７】
このＶＴＲ操作モードでの処理を図３のフローチャートを用いて説明する。操作部ＣＰＵ２８は、電源が投入されると、まず所要の初期設定を行ったのち（ステップＳ１０）、ＶＴＲ１８の操作以外の処理を実行する（ステップＳ１４）。そして、ＶＴＲ操作モードか否かを判定する（ステップＳ１４）。ＮＯと判定した場合にはステップＳ１２に戻り、ＶＴＲ操作以外の処理を繰り返す。
【００３８】
一方、ステップＳ１４においてＹＥＳと判定した場合には、ＶＴＲ操作モードの処理に移行する。そして、まず、画像処理部３０に対して、現在の画像の記憶を指示する（ステップＳ１６）。画像処理部３０では、上記ＡＦ枠の操作における自動追尾モードの場合と同様にレンズ装置１４のＡＦ信号処理部２２から現在撮影されている映像の映像信号を取得しており、操作部ＣＰＵ２８から画像の記憶の指示が与えられると、その指示が与えられたときの映像信号のフレーム画像（又はフィールド画像）を記憶する。尚、このとき記憶した画像を画像Ａ（基準画像）とする。
【００３９】
続いて操作部ＣＰＵ２８は、ステップＳ１６と同様に画像処理部３０に対して、現在の画像の記憶を指示する（ステップＳ１８）。このとき記憶した画像をＢとする。
【００４０】
次に操作部ＣＰＵ２８は、ＶＴＲ操作モードか否かを判定する（ステップＳ２０）。ＮＯと判定した場合には、ステップＳ１２に戻る。ＹＥＳと判定した場合には、続いて、画像処理部３０に対して記憶している画像Ａと画像Ｂの比較を指示し、画像Ａと画像Ｂが一致しているか否かを判定する（ステップＳ２２）。ＹＥＳと判定した場合には、ステップＳ１８に戻る。
【００４１】
一方、ＮＯと判定した場合には、カメラヘッド１０に対してＶＴＲ１８をオン（録画のスタート）させるため指示信号（ＶＴＲスタート信号）をレンズ装置１４に送信する（ステップＳ２４）。レンズ装置１４のレンズＣＰＵ２０は、ＶＴＲスタート信号を受信すると、カメラヘッド１０にそのＶＴＲスタート信号を送信する。カメラヘッド１０は、ＶＴＲスタート信号を受信すると、ＶＴＲ１８を作動（オン）させ、録画を開始する。
【００４２】
次に、操作部ＣＰＵ２８は、画像処理部３０に対して、現在の画像の記憶を指示する（ステップＳ２６）。このときの記憶した画像で画像Ｂを更新する。続いて、ＶＴＲ操作モードか否かを判定する（ステップＳ２８）。ＮＯと判定した場合にはステップＳ１２に戻る。一方、ＹＥＳと判定した場合には、画像処理部３０に対して記憶している画像Ａと画像Ｂの比較を指示し、画像Ａと画像Ｂが一致しているか否かを判定する（ステップＳ３０）。ＮＯと判定した場合にはステップＳ２６に戻る。一方、ＹＥＳと判定した場合には、カメラヘッド１０に対してＶＴＲ１８をオフ（録画のストップ）させるための指示信号（ＶＴＲストップ信号）をレンズ装置１４に送信する（ステップＳ３２）。レンズ装置１４のレンズＣＰＵ２０は、そのＶＴＲストップ信号を受信すると、カメラヘッド１０にＶＴＲストップ信号を送信する。カメラヘッド１０は、ＶＴＲストップ信号を受信すると、ＶＴＲ１８を停止（オフ）させ、録画を停止する。ステップＳ３２の処理の後、ステップＳ１８に戻る。
【００４３】
以上、上記実施の形態では、カメラヘッド１０において撮影された映像がＶＴＲ１８によってテープ媒体に記録されるようになっているが、テープ媒体以外の媒体に映像を記録する記録装置が用いられる場合であっても上記実施の形態と同様に本発明を適応できる。
【００４４】
また、上記実施の形態において、ＡＦ枠＆ＶＴＲ操作部１６は、ＶＴＲ１８のオン／オフを指示するだけでなく、ＶＴＲ１８をオフしている間の録画を停止している状態ではカメラヘッド１０及びＶＴＲ１８の電源をオフにし、録画を開始する際にカメラヘッド１０及びＶＴＲ１８の電源をオンにするようにしてよい。
【００４５】
また、上記実施の形態では、カメラヘッド１０によって撮影されている映像と同等の映像としてレンズ装置１４のＡＦ用撮像素子２４により撮影されている映像を取得してその映像に基づいてＶＴＲ１８のオン／オフを指示するようにしたが、カメラヘッド１０によって撮影されている映像を取得してその映像に基づいてＶＴＲ１８のオン／オフを指示するようにしてもよい。この場合、ＶＴＲ１８がオフされた状態のときでもカメラヘッド１０における撮影機能に関する回路については電源をオフすることはできないが、ＶＴＲ１８については電源をオフしておくことができ、ＶＴＲ１８のオンと共にＶＴＲ１８の電源をオンするようにしてもよい。
【００４６】
また、上記実施の形態では、ＶＴＲ１８のオン／オフを指示するための処理をＡＦ枠に関する操作部において行うようにしたが、レンズ装置１４やレンズ装置１４以外の任意の付属装置において行うようにしてもよい。
【００４７】
また、上記実施の形態では、カメラヘッド１０の撮影映像（又はこれと同等の映像）が所定の基準画像に対して変化した場合にＶＴＲ１８をオンにし、その後、基準画像に一致するとＶＴＲ１８をオフするようにしたが、
ＶＴＲ１８がオンの場合に、基準画像が一致してからその状態が一定時間継続したときに（例えば５秒間継続したとき）にＶＴＲ１８をオフするようにしてもよい。また、本発明は、カメラヘッド１０の撮影画像が所定の基準画像に一致しているか否かによってＶＴＲ１８のオン／オフを指示する場合に限らず、カメラヘッド１０の撮影画像に基づく他の判断処理によってＶＴＲ１８のオン／オフを指示する場合であってもよい。
【００４８】
また、上記実施の形態では、映像（動画像）を撮影するためのレンズシステムに本発明を適用した場合について説明したが、本発明は静止画を撮影（記録）するためのレンズシステムにおいても適用できる。
【図面の簡単な説明】
【００４９】
【図１】図１は、本発明に係るレンズシステムを含むテレビ放送用の撮影システムの構成を示したブロック図である。
【図２】図２は、撮像範囲におけるＡＦエリア（ＡＦ枠）の範囲を例示した図である。
【図３】図３は、ＡＦ枠＆ＶＴＲ操作部におけるＶＴＲ操作モードの処理手順を示したフローチャートである。
【符号の説明】
【００５０】
１０…カメラヘッド、１２…ビューファインダ、１４…レンズ装置、１６…ＡＦ枠＆ＶＴＲ操作部、１８…ＶＴＲ、２０…レンズＣＰＵ、２２…ＡＦ信号処理部、２４…ＡＦ用撮像素子、２６…入力部、２８…操作部ＣＰＵ、３０…画像処理部
【図１】
2007019621.tif 000003
【図２】
2007019621.tif 000004
【図３】
2007019621.tif 000005